(57)【特許請求の範囲】
【請求項１】
印刷ジョブを入力する入力手段と、
前記入力手段が入力した前記印刷ジョブに基づいてシートに印刷処理を行う印刷処理手段と、
前記印刷処理手段へ供給されるシートを積載するための複数のシート積載手段と、
前記シート積載手段に積載されているシートの属性に関するシート属性情報を複数のシート積載手段の各々について保持する保持手段と、
前記印刷ジョブが用いるシート積載手段として、前記複数のシート積載手段のいずれかを選択する選択手段と、
前記印刷ジョブに含まれるシート属性情報が前記保持手段に保持された複数のシート属性情報のいずれかと一致する場合は該印刷ジョブをシート属性情報が一致したシート積載手段に割り当て、前記印刷ジョブに含まれるシート属性情報が前記保持手段に保持された複数のシート属性情報のいずれにも一致しない場合は該印刷ジョブを前記選択手段が選択したシート積載手段に割り当てる割当手段と、
前記入力手段が入力した複数の印刷ジョブに基づいて実行される複数の印刷処理の実行順序を制御する制御手段と、
前記保持手段により保持されたシート属性情報と一致する第１の印刷ジョブ及び前記保持手段により保持されたシート属性情報とは異なる第２の印刷ジョブが前記割当手段により前記複数のシート積載手段に含まれる第１のシート積載手段に割り当てられており、第３の印刷ジョブが前記割当手段により前記複数のシート積載手段に含まれる第２のシート積載手段に割り当てられている場合であって前記第３の印刷ジョブに基づいて実行される印刷処理が前記第２の印刷ジョブに基づいて実行される印刷処理より先に実行されるよう前記制御手段が実行順序を制御する場合、前記第１の印刷ジョブに基づく印刷処理が終了した後であって前記第２の印刷ジョブに基づく印刷処理が開始される前における前記第３の印刷ジョブに基づく印刷処理中に、前記第１のシート積載手段に積載されるシートを前記第２の印刷ジョブに含まれるシート属性情報に対応するシートに交換させるための交換指示を出力する出力手段とを有することを特徴とする印刷装置。
【請求項２】
前記選択手段は、前記入力手段が前記第２の印刷ジョブを入力したことに応じて前記複数のシート積載手段のいずれかを選択することを特徴とする請求項１に記載の印刷装置。
【請求項３】
前記選択手段が選択したシート積載手段を特定する特定情報を記憶する記憶手段を有し、
前記割当手段は、前記入力手段が前記第２の印刷ジョブを入力したことに応じて、前記記憶手段に予め記憶された前記特定情報を読み出すことで前記第１のシート積載手段を割り当てることを特徴とする請求項１又は２に記載の印刷装置。
【請求項４】
情報を表示するための表示手段を有し、
前記出力手段は、前記交換指示に関する情報を前記表示手段へ出力することを特徴とする請求項１乃至３のいずれか１項に記載の印刷装置。
【請求項５】
前記出力手段は、前記交換指示に関する情報を通知先へ送信することを特徴とする請求項１乃至３のいずれか１項に記載の印刷装置。
【請求項６】
前記シート属性情報は、前記シートのサイズ及び／又は種類に関する情報であることを特徴とする請求項１乃至５のいずれか１項に記載の印刷装置。
【請求項７】
前記保持手段は、前記印刷ジョブが割り当てられていない第３のシート積載手段に前記割当手段により前記印刷ジョブが割り当てられたことに応じて前記印刷ジョブに含まれるシート属性情報を前記第３のシート積載手段と対応付けて保持することを特徴とする請求項１乃至６のいずれか１項に記載の印刷装置。
【請求項８】
前記選択手段が選択したシート積載手段に前記シート属性情報を設定するための前記印刷装置の操作者による設定指示を受け付ける受付手段を有し、
前記保持手段は、前記受付手段が受け付けた前記設定指示に応じた前記シート属性情報を前記選択手段により選択されたシート積載手段に対応付けて保持することを特徴とする請求項１乃至７のいずれか１項に記載の印刷装置。
【請求項９】
前記入力手段は、原稿を読み取ることで前記印刷ジョブを入力することを特徴とする請求項１乃至８のいずれか１項に記載の印刷装置。
【請求項１０】
前記入力手段は、外部装置から前記印刷ジョブを受信することで前記印刷ジョブを入力することを特徴とする請求項１乃至９のいずれか１項に記載の印刷装置。
【請求項１１】
複数のシート積載部に積載されているシートの属性に関するシート属性情報を複数のシート積載手段の各々について保持する保持部を有する印刷装置における印刷方法であって、
印刷ジョブを入力する入力工程と、
前記入力工程にて入力した前記印刷ジョブに基づいてシートに印刷処理を行う印刷処理工程と、
前記印刷ジョブが用いるシート積載部として、前記複数のシート積載部のいずれかを選択する選択工程と、
前記印刷ジョブに含まれるシート属性情報が保持部に保持された複数のシート属性情報のいずれかと一致する場合には該印刷ジョブをシート属性情報が一致したシート積載部に割り当て、前記印刷ジョブに含まれるシート属性情報が前記保持部に保持された複数のシート属性情報のいずれにも一致しない場合は該印刷ジョブを前記選択工程が選択したシート積載部に割り当てる割当工程と、
前記入力工程にて入力した複数の印刷ジョブに基づいて実行される複数の印刷処理の実行順序を制御する制御工程と、
前記保持部に保持されたシート属性情報と一致する第１の印刷ジョブ及び前記保持部に保持されたシート属性情報とは異なる第２の印刷ジョブが前記複数のシート積載部に含まれる第１のシート積載部に割り当てられており、第３の印刷ジョブが前記割当工程により前記複数のシート積載部に含まれる第２のシート積載部に割り当てられている場合であって前記第３の印刷ジョブに基づいて実行される印刷処理が前記第２の印刷ジョブに基づいて実行される印刷処理より先に実行されるよう前記制御工程にて実行順序を制御する場合、前記第１の印刷ジョブに基づく印刷処理が終了した後であって前記第２の印刷ジョブに基づく印刷処理が開始される前における前記第３の印刷ジョブに基づく印刷処理中に、前記第１のシート積載部に積載されているシートを前記第２の印刷ジョブに含まれるシート属性情報に対応するシートに交換させるための交換指示を出力する出力工程とを有することを特徴とする印刷方法。
【発明の詳細な説明】
【技術分野】
【０００１】
本発明は、印刷装置及び印刷方法に関する。
【背景技術】
【０００２】
従来から、ページ単位の画像データを含む印刷ジョブに基づいてシート（用紙、記録媒体）に印刷処理を行う印刷装置が知られている。そして、印刷装置として、サイズや種類（材質）等のシート属性が異なる複数のシートを用いて印刷処理を行うものが知られている。このような印刷装置においては、シート属性毎に複数のシート積載部を設け、印刷処理を行うにあたって複数のシート積載部から印刷ジョブに用いるシート積載部を任意に選択することで所望のシート属性のシートに印刷処理を行うことができる。
【０００３】
しかし、印刷装置に設けることができるシート積載部の数には限りがある一方で、シートの属性にはシート積載部の数以上に様々なものがある。従って、あらゆる属性のシートを１つの印刷装置のシート積載部に装備させることはできない。そこで、印刷装置が有する限られた数のシート積載部を有効に用いて、様々なシート属性のシートに印刷処理を行う方法が提案されている。
【０００４】
例えば、特許文献１の印刷装置は、新たな印刷ジョブが入力されたときにその印刷ジョブで使用するシートがいずれのシート積載部にも積載されていない場合、以下の動作をする。それは、プリント待ち行列にある何れの印刷ジョブにも用いられないシート積載部（以下、不使用トレイ）のシートを新たな印刷ジョブが必要とするシートへ交換するよう指示をする動作である。
【特許文献１】特許第３１５８７８９号公報
【発明の開示】
【発明が解決しようとする課題】
【０００５】
しかし、特許文献１の印刷装置のように、新たな印刷ジョブが入力されたときに不使用トレイに積載されているシートを交換してしまうと問題となる場合がある。
【０００６】
例えば、不使用トレイに使用頻度の高いシートが積載されているような場合、使用頻度の高いシートを印刷装置から取り除いてしまうと、再びそのシートを何れかのシート積載部に積載し直す可能性が高い。そうすると、シートを交換する作業が頻繁に発生することとなり印刷装置の操作者の作業量が増大してしまう。
【０００７】
また、例えば、不使用トレイが他のシート積載部に比べて大量のシートが積載可能なトレイである場合、大量のシートを交換するために操作者の作業量が増大してしまう。
【０００８】
本発明は上記の問題点を鑑みてなされたものであり、印刷装置の操作者の作業量を増大させることなく、印刷装置が有する限られた数のシート積載部を有効に用いて、様々なシート属性のシートに印刷処理を行う印刷装置及び印刷装置の制御方法を提供することを目的とする。
【課題を解決するための手段】
【０００９】
上記目的を達成するために、本発明の印刷装置は、印刷ジョブを入力する入力手段と、前記入力手段が入力した前記印刷ジョブに基づいてシートに印刷処理を行う印刷処理手段と、前記印刷処理手段へ供給されるシートを積載するための複数のシート積載手段と、前記シート積載手段に積載されているシートの属性に関するシート属性情報を複数のシート積載手段の各々について保持する保持手段と、前記印刷ジョブが用いるシート積載手段として、前記複数のシート積載手段のいずれかを選択する選択手段と、前記印刷ジョブに含まれるシート属性情報が前記保持手段に保持された複数のシート属性情報のいずれかと一致する場合は該印刷ジョブをシート属性情報が一致したシート積載手段に割り当て、前記印刷ジョブに含まれるシート属性情報が前記保持手段に保持された複数のシート属性情報のいずれにも一致しない場合は該印刷ジョブを前記選択手段が選択したシート積載手段に割り当てる割当手段と、前記入力手段が入力した複数の印刷ジョブに基づいて実行される複数の印刷処理の実行順序を制御する制御手段と、前記保持手段により保持されたシート属性情報と一致する第１の印刷ジョブ及び前記保持手段により保持されたシート属性情報とは異なる第２の印刷ジョブが前記割当手段により前記複数のシート積載手段に含まれる第１のシート積載手段に割り当てられており、第３の印刷ジョブが前記割当手段により前記複数のシート積載手段に含まれる第２のシート積載手段に割り当てられている場合であって前記第３の印刷ジョブに基づいて実行される印刷処理が前記第２の印刷ジョブに基づいて実行される印刷処理より先に実行されるよう前記制御手段が実行順序を制御する場合、前記第１の印刷ジョブに基づく印刷処理が終了した後であって前記第２の印刷ジョブに基づく印刷処理が開始される前における前記第３の印刷ジョブに基づく印刷処理中に、前記第１のシート積載手段に積載されるシートを前記第２の印刷ジョブに含まれるシート属性情報に対応するシートに交換させるための交換指示を出力する出力手段とを有することを特徴とする。
【００１１】
また、本発明の印刷方法は、複数のシート積載部に積載されているシートの属性に関するシート属性情報を複数のシート積載手段の各々について保持する保持部を有する印刷装置における印刷方法であって、印刷ジョブを入力する入力工程と、前記入力工程にて入力した前記印刷ジョブに基づいてシートに印刷処理を行う印刷処理工程と、前記複数のシート積載部のいずれかを選択するための前記印刷装置の操作者による選択指示を受け付ける受付工程と、前記印刷ジョブに含まれるシート属性情報が前記保持部に保持された複数のシート属性情報のいずれにも一致しない場合に、前記受付工程にて受け付けた前記選択指示に対応するシート積載部を前記印刷ジョブに用いるシート積載部として割り当てる割当工程と、前記入力工程にて入力した複数の印刷ジョブに基づいて実行される複数の印刷処理の実行順序を制御する制御工程と、前記保持部に保持されたシート属性情報と一致する第１の印刷ジョブ及び前記保持部に保持されたシート属性情報とは異なる第２の印刷ジョブが前記複数のシート積載部に含まれる第１のシート積載部に割り当てられており、第３の印刷ジョブが前記割当工程により前記複数のシート積載部に含まれる第２のシート積載部に割り当てられている場合であって前記第３の印刷ジョブに基づいて実行される印刷処理が前記第２の印刷ジョブに基づいて実行される印刷処理より先に実行されるよう前記制御工程にて実行順序を制御する場合、前記第１の印刷ジョブに基づく印刷処理が終了した後であって前記第２の印刷ジョブに基づく印刷処理が開始される前における前記第３の印刷ジョブに基づく印刷処理中に、前記第１のシート積載部に積載されているシートを前記第２の印刷ジョブに含まれるシート属性情報に対応するシートに交換させるための交換指示を出力する出力工程とを有することを特徴とする。
【発明の効果】
【００１３】
本発明によれば、印刷装置の操作者の作業量を増大させることなく、印刷装置が有する予め定められた数のシート積載部を有効に用いて、適切なタイミングでシート積載部に積載されたシートの交換を指示する印刷装置及び印刷方法を提供することができる。
【発明を実施するための最良の形態】
【００１５】
以下、図面を参照して、本発明の一実施形態に係る印刷処理システム及び印刷方法について詳細に説明する。
【００１６】
＜第１の実施形態＞
［システム全体の構成］
図１は、本発明の第１の実施形態に係る印刷処理システムを示す図である。図１に示す印刷システムは、１つ又は複数のユーザ端末（本実施形態では、ユーザ端末１０１、及びユーザ端末１０２）と、インターネット１０３を介して接続されているＰＯＤ（Ｐｒｉｎｔ  Ｏｎ  Ｄｅｍａｎｄ）システム１１５から成っている。
【００１７】
ＰＯＤシステム１１５に対してプリントサービスの発注を行う発注者は、ユーザ端末１０１又はユーザ端末１０２を用いてプリントサービスの発注をすることができる。
【００１８】
一方、ＰＯＤシステム１１５において、受注サーバ１０５は、インターネット１０３を介してユーザ端末からプリントサービスを受注するサーバであり、ユーザ端末からのプリントサービスとしてプリントジョブデータを受信する。ここで、プリントジョブデータとは、ユーザ端末にて特定のアプリケーションソフトウェアで作成された複数ページのデータを一連のプリントジョブとしてまとめたデータである。プリントジョブデータは、ユーザ端末にて動作するアプリケーションソフトウェアで作成されたデータに、そのデータをＰＯＤシステムにてどのような出力形態で出力させるかを示す設定情報（ジョブチケット）を付加したデータである。ここで、出力形態とは、例えば、製本の種類、カラーモード、用紙タイプを示す。受注サーバ１０５がユーザ端末１０１又は１０２から受信したプリントジョブデータは、受注サーバ１０５が発行するＩＤ番号で管理される。この受注サーバ１０５は、ウェブサーバ機能を備えており、インターネット１０３を介してユーザ端末１０１及びユーザ端末１０２にて動作するウェブブラウザに対して、ウェブブラウザにて表示させるべき表示データを送信する機能を有する。
【００１９】
ファイルサーバ１０６は、受注サーバ１０５がインターネット１０３を介して受信したプリントジョブデータを保存して管理するためサーバである。
【００２０】
また、ファイルサーバ１０６には、ディジタル複合機（ＭＦＰ：Ｍｕｌｔｉ  Ｆｕｎｃｔｉｏｎ  Ｐｅｒｉｐｈｅｒａｌ）１１０／ＭＦＰ１１１で使用可能であるシート（メディア）のライブラリ情報が保存されている。
【００２１】
ここで、シートのライブラリ情報とは、例えば、図２のテーブルに示されるような情報である。図２のライブラリ情報は、８種類のシートをテーブル化した情報であるが、より多種類（例えば、数百種類）のシートをテーブル化しても良い。８つのシートの各々には、ユニークなシートＩＤが付与されており、シートＩＤを特定することによりシートの種類が特定される。なお、ファイルサーバ１０６は、ライブラリ情報をＭＦＰ１１０やＭＦＰ１１１に送信することができる。そして、ライブラリ情報を受信したＭＦＰ１１０やＭＦＰ１１１は、ライブラリ情報に基づいて装置を動作させるための各種の設定を行う。図２にはシート毎に定着温度が定められている。ここで、定着温度は、後述する定着器６０８を用いてシートにトナー像を熱定着させる際の温度を示すものであり、シートの種類に応じて図２のような温度を定着処理にて設定する定着温度とする。これにより、ＭＦＰ１１０やＭＦＰ１１１は、ライブラリ情報に基づいて、シートの種類に応じた適切な定着温度にてシートに定着処理を行うことができる。なお、図２にはシートに対応付けた情報として定着温度が示されているが、定着温度以外の情報を付け加えてもよい。例えば、転写ドラム６０５に印加される転写電圧等の情報を付け加えても良い。
【００２２】
プリントサーバ１０８は、スキャナ１０７やＭＦＰ１１０やＭＦＰ１１１等の原稿を画像データとして読み取るスキャンデバイスにより読み取られた画像データを保存するためのサーバである。また、プリントサーバ１０８は、読み込んだ画像データの補正（読取方向のずれの補正、ノイズ（黒点）の除去）を実行する。また、プリントサーバ１０８は、ファイルサーバ１０６に保存されている複数のプリントジョブデータやスキャナ１０７等により読み取られた画像データを結合する。
【００２３】
プリントサーバ１０８、クライアントＰＣ１０９、スキャナ１０７、ＭＦＰ１１０、ＭＦＰ１１１は、ＬＡＮ等のネットワーク１０４により接続され、各装置間でデータを転送したり、制御コマンドを送受信したりすることができる。
【００２４】
また、図１に示す印刷処理システムにおいて、紙折り機１１２は、ＭＦＰ１１０やＭＦＰ１１１により出力された複数枚のシートを折り畳む機能を有する。
【００２５】
また、くるみ製本機（ｃａｓｅ  ｂｉｎｄｉｎｇ  ｄｅｖｉｃｅ）１１３は、製本されるべき複数枚のシートに対して、表紙となるシートを糊付けして製本する機能を有する。
【００２６】
さらにまた、断裁機（ｓｈｅｅｔ  ｃｕｔｔｉｎｇ  ｄｅｖｉｃｅ）１１４は、くるみ製本機１１３によって表紙が糊付けされて複数枚のシートを製本したものを裁断する。
【００２７】
［ＭＦＰの構成］
次に、ＭＦＰ（Ｍｕｌｔｉ  Ｆｕｎｃｔｉｏｎ  Ｐｅｒｉｐｈｅｒａｌ）について説明する。図３は、ＭＦＰ１１０、１１１の構成を示すブロック図である。本実施形態に係るＭＦＰ１１０、１１１は、複数のジョブデータを記憶可能なハードディスク２０９等のメモリを具備する。また、ＭＦＰ１１０、１１１は、スキャナ部２０１から入力されたジョブデータをハードディスク２０９等へ記憶させた後にプリンタ部２０３でプリントするコピー機能を備える。また、外部Ｉ／Ｆ２０２を介して入力されたジョブデータをハードディスク２０９等へ記憶させた後にプリンタ部２０３でプリントするプリント機能を備える。
【００２８】
図３に示すように、本実施形態に係るＭＦＰは、紙原稿等の画像を読み取るとともに読み取られた画像データを画像処理するスキャナ部２０１を備える。また、ＭＦＰは、外部装置と画像データ等を送受信する外部Ｉ／Ｆ２０２と、ハードディスク２０９等に記憶されたジョブデータに基づいてシート上に画像形成するプリンタ部２０３とを備えている。
【００２９】
また、ＭＦＰは、操作部２０４をさらに備え、ＭＦＰの様々な処理機能を選択したり、各種の指示したりすることができる。
【００３０】
さらに、ＭＦＰはＣＰＵ２０５を備え、ＲＯＭ２０７に読み込んだプログラムに基づいて動作する。また、ＭＦＰのＲＯＭ２０７には、外部Ｉ／Ｆ２０２が外部装置（例えば、クライアントＰＣ１０９）から受信したＰＤＬ（Ｐａｇｅ  Ｄｅｓｃｒｉｐｔｉｏｎ  ｌａｎｇｕａｇｅ：ページ記述言語）コードデータを解釈するためのプログラムが記憶されている。また、ＲＯＭ２０７には、ラスターイメージデータに展開する動作を実行するためのプログラムが記憶されている。そして、それらのプログラムは、ＣＰＵ２０５が実行する。
【００３１】
さらにまた、ＭＦＰのメモリコントローラ部２０６は、ＲＯＭ２０７、ＲＡＭ２０８、及びハードディスク２０９へのアクセスを制御する。
【００３２】
ＲＯＭ２０７は、読み出し専用のメモリであり、ＭＦＰの各種の機能を初期化するためのプログラムやフォント情報等が予め記憶されている。また、ＲＡＭ２０８は、読み出し及び書き込み可能なメモリであり、スキャナ部２０１や外部Ｉ／Ｆ２０２よりメモリコントローラ部２０６を介して送られてきた画像データや、各種プログラムや設定情報を記憶する。さらに、ハードディスク２０９は、圧縮伸長部２１０によって圧縮された画像データを記憶する大容量の記憶装置である。
【００３３】
圧縮伸長部２１０は、ＪＢＩＧやＪＰＥＧ等といった各種圧縮方式によってＲＡＭ２０８、ハードディスク２０９に記憶されている画像データ等を圧縮・伸長動作を行う。
【００３４】
［ＭＦＰの構成］
図４は、ＭＦＰの構成を示す断面図である。
【００３５】
図４において、自動原稿搬送装置（Ａｕｔｏｍａｔｉｃ  Ｄｏｃｕｍｅｎｔ  Ｆｅｅｄｅｒ：ＡＤＦ）６０１は、原稿トレイの積載面にセットされた原稿シート束を１枚ずつ順番に分離する。そして、ＡＤＦ６０１は、原稿シート束をスキャナ６０２によって原稿走査するために原稿台ガラス上へ搬送する。スキャナ６０２は、原稿台ガラス上に搬送された原稿の画像を読み取り、ＣＣＤによって画像データに変換する。回転多面鏡（ポリゴンミラー等）６０３は、変換された画像データに応じて変調された、例えばレーザー光等の光線を入射させ、反射ミラーを介して反射走査光として感光ドラム６０４に照射する。
【００３６】
感光ドラム６０４上に反射走査光として照射されたレーザー光によって形成された潜像はトナーによって現像され、転写ドラム６０５上に貼り付けられたシート材に対してトナー像を転写する。この一連の画像形成プロセスをイエロー（Ｙ）、マゼンタ（Ｍ）、シアン（Ｃ）、ブラック（Ｋ）の各トナーに対して順次実行することにより画像が形成される。
【００３７】
そして、４回の画像形成プロセスの後に、画像形成された転写ドラム６０５上のシートは、分離爪６０６によって分離され、定着前搬送部６０７によって定着器６０８へ搬送される。定着器６０８は、ローラやベルトの組み合わせによって構成され、ハロゲンヒータ等の熱源を内蔵し、トナー像が転写されたシート材上のトナーを、熱と圧力によって定着させる。
【００３８】
排紙フラッパ６０９は、揺動軸を中心に揺動可能に構成され、シートの搬送方向を規定する。例えば、排紙フラッパ６０９が時計回りの方向に揺動しているときには、シートは真直ぐに搬送され、排紙ローラ６１０によって機外へ排出される。一方、シートの両面に画像を形成する際には、排紙フラッパ６０９が図中反時計回りの方向に揺動し、シートは下方向に進路を変更され両面搬送部へと送り込まれる。
【００３９】
両面搬送部は、反転フラッパ６１１、反転ローラ６１２、反転ガイド６１３及び両面トレイ６１４より構成される。反転フラッパ６１１は、揺動軸を中心に揺動可能に構成され、シートの搬送方向を規定する。まず、反転フラッパ６１１が反時計回りの方向に揺動し、シートは反転ローラ６１２によって反転ガイド６１３へと送り込まれる。シート後端が反転ローラ６１２に狭持された状態で反転ローラ６１２は一旦停止し、引き続き反転フラッパ６１１が時計回りの方向に揺動する。さらに、反転ローラ６１２が逆方向に回転し、シートはスイッチバックして搬送され、後端と先端が入れ替わった状態で両面トレイ６１４へと導かれる。
【００４０】
両面トレイ６１４では、シートを一旦積載し、その後、再給紙ローラ６１５によってシートは再びレジストローラ６１６へと送り込まれる。このときシートは、１面目の転写工程とは反対の面が感光ドラムと対向する側になって送られてきている。そして、先述したプロセスと同様にして２面目の画像が形成され、シートの両面に画像が形成され、定着工程を経て機外へ排出される。
【００４１】
給紙搬送部は、シートカセットＡ６１７、Ｂ６１８、ペーパーデッキ６１９、手差しトレイ６２０と、給紙ローラ６２１、及びレジストローラ６１６によって構成されている。
【００４２】
シートカセットＡ６１７、Ｂ６１８及びペーパーデッキ６１９には、各種サイズ及び各種マテリアルのシートが収納され、また手差しトレイ６２０には、ＯＨＴシート等のフィルム材を含む各種の記録媒体が積載される。シートカセットＡ６１７、シートカセットＢ６１８、ペーパーデッキ６１９及び手差しトレイ６２０には、それぞれに給紙ローラ６２１が設けられ、シートが１枚ずつ給送される。具体的には、ピックアップローラによって積載されたシートが順次繰り出され、給紙ローラ６２１に対向して設けられる分離ローラによって重送が防止され、シートは１枚ずつ搬送ガイドへと送り出される。
【００４３】
ここで、分離ローラには、搬送方向とは逆方向に回転させる駆動力が、図示しないトルクリミッタを介して入力されている。分離ローラは、給紙ローラ６２１との間に形成されるニップ部にシートが１枚だけ進入しているときには、シートに従動して搬送方向に回転する。一方、重送が発生している場合には、分離ローラは搬送方向とは逆方向に回転することにより、重送したシートが戻され、最上部の１枚だけが送り出されるようになっている。
【００４４】
送り出されたシートは、搬送ガイドの間を案内され、複数の搬送ローラによってレジストローラ６１６まで搬送される。このときレジストローラ６１６は停止しており、シートの先端がレジストローラ６１６対で形成されるニップ部に突き当たり、シートがループを形成し斜行が補正される。その後、画像形成部において感光ドラム６０４上に形成されるトナー像のタイミングに合わせて、レジストローラ６１６は回転を開始してシートを搬送する。
【００４５】
レジストローラ６１６により送られたシートは、吸着ローラ６２２によって転写ドラム６０５表面に静電気的に吸着される。
【００４６】
プリンタ部の定着部から排出されたシートは、オンラインフィニッシャ部に入る（フィニッシャが接続されている場合）。オンラインフィニッシャ部には、サンプルトレイ６２３及びスタックトレイ６２４があり、ジョブの種類や排出されるシートの枚数に応じて切り替えて排出される。
【００４７】
ソート方式には２通りあり、複数のビンを有して各ビンに振り分けるビンソート方式と、電子ソート機能とビン（又は、トレイ）を奥手前方向にシフトしてジョブ毎に出力シートを振り分けるシフトソート方式によるソーティングを行うことができる。電子ソート機能は、コレートと呼ばれ、コア部に大容量メモリを持っていれば、このバッファメモリを利用して、バッファリングしたページ順と排出順を変更する、いわゆるコレート機能を用いることで電子ソーティングの機能もサポートできる。次に、グループ機能は、ソーティングがジョブ毎に振り分けるのに対し、ページ毎に仕分けする機能である。
【００４８】
さらに、出力すべきジョブに対してステープルモードが設定されている場合には、スタックトレイ６２４に排出するように制御する。その際には、シートがスタックトレイ６２４に排出される前に、シートをジョブ毎にフィニッシャ内部の処理トレイ６２５に順次蓄えておく。そして、処理トレイ６２５上においてステープラ６２６によってバインドして、その上で、スタックトレイ６２４へシート束を束排出する。
【００４９】
その他、上記２つのトレイに至るまでに、ファイル用の２つ（又は３つ等）の穴開けを行うパンチャ６２７があり、ジョブの種類に応じてパンチ処理を行う。例えば、出力すべきジョブに対するシート処理に関する設定として、ユーザにより操作部を介してパンチ処理設定がなされた場合には、以下の動作をする。それは、そのジョブの記録紙に対してパンチャ６２７によるパンチ処理を実行させ、その上で、機内を通過させて、スタックトレイ６２４及びサンプルトレイ６２３等の排出トレイに排紙する動作である。
【００５０】
さらに、サドルステッチャ６２８は、シートの中央部分を２か所バインドした後に、シートの中央部分をローラに噛ませることによりシートを半折りし、パンフレットのようなブックレットを作成する処理（製本処理）を行う。サドルステッチャ６２８で製本されたシートは、ブックレットトレイ６２９に排出される。尚、当該サドルステッチャ６２８による製本処理等のシート処理動作の実行可否も、上述したように出力すべきジョブに対してユーザにより設定されたシート処理設定に基づく。
【００５１】
また、インサータ６３０は、インサートトレイ６３１にセットされたシートをプリンタへ通さずにスタックトレイ６２４及びサンプルトレイ６２３等の排出トレイのいずれかに送るためのものである。これによってオンラインフィニッシャ部に送り込まれるシート（プリンタ部で印刷されたシート）とシートの間にインサータ６３０にセットされたシートをインサート（中差し）することができる。インサータ６３０のインサートトレイ６３１にはユーザによりフェイスアップの状態でセットされるものとし、ピックアップローラにより最上部のシートから順に給送する。
【００５２】
従って、インサータ６３０からのシートは、そのままスタックトレイ６２４又はサンプルトレイ６２３へ搬送することにより、フェイスダウン状態で排出される。サドルステッチャ６２８へ送るときには、一度パンチャ側へ送り込んだ後スイッチバックさせて送り込むことによりフェースの向きを合わせる。尚、インサータ６３０によるシート挿入処理等のシート処理動作の実行可否も、上述したように出力すべきジョブに対してユーザにより設定されたシート処理設定に基づく。
【００５３】
［プリントジョブの送信処理］
次に、クライアントＰＣ１０９からＰＯＤシステム１１５のオペレータが受注サーバ１０５に受注された内容に従ってクライアントＰＣ１０９からＭＦＰ１１０又はＭＦＰ１１１にプリントジョブを送信する処理について説明する。
【００５４】
図５は、クライアントＰＣ１０９上で動作するプリンタドライバの設定画面を示す図である。そして、クライアントＰＣ１０９は、文書作成アプリケーション等のアプリケーションソフトウェアにて文書を作成している際に、プリンタドライバを起動させることで図５の設定画面をクライアントＰＣ１０９の表示画面上に表示させる。ここで、プリンタドライバとは、ＭＦＰ１１０又はＭＦＰ１１１を制御するためのデバイスドライバであり、クライアントＰＣ１０９上で動作するソフトウェアである。そして、クライアントＰＣ１０９は、プリンタドライバを動作させることでＭＰＦ１１０又はＭＦＰ１１１へ送信するプリントジョブを生成する。
【００５５】
図５の設定画面において、クライアントＰＣ１０９を操作する操作者（作業者）は、プリンタ名選択ボックス５０１を不図示のポインティングデバイス等を用いて操作する。この操作により、クライアントＰＣ１０９がプリントジョブを送信する送信先として、ＭＦＰ１１０又はＭＦＰ１１１のいずれかが選択される。図５においてクライアントＰＣ１０９は、ＭＰＦ１１０を選択している。また、クライアントＰＣ１０９を操作する作業者は、印刷範囲選択ボックス５０２をポインティングデバイス等を用いて操作する。これにより、アプリケーションが生成する文書のうち所望の範囲がＭＦＰ１１０にて印刷すべき範囲として決定する。プリンタドライバは、作業者が「すべて」を選択した場合には、アプリケーションが生成した文書の全てのページを印刷対象とする。また、プリンタドライバは、作業者が「現在のページ」を選択した場合には、アプリケーションが生成した複数ページの文書のうち現在クライアントＰＣの画面上に表示されているページを印刷対象とする。また、プリンタドライバは、作業者が「ページ指定」を選択した場合には、アプリケーションが生成した複数ページの文書のうちエディットボックス５０３に入力されているページを印刷対象とする。また、プリンタドライバは、作業者が印刷部数設定ボックス５０４に入力した部数を印刷対象の部数にする。
【００５６】
そして、クライアントＰＣ１０９の作業者は、プリンタドライバを介したＭＦＰ１１０へ送信するプリントジョブの設定が終了したならばＯＫボタン５０６を押下することにより、プリントジョブの生成を開始させる。なお、クライアントＰＣ１０９の作業者は、プリントジョブの生成を中止する場合には、キャンセルボタン５０７を押下する。
【００５７】
図６は、図５のプリンタドライバのプロパティ設定画面においてプロパティボタン５０５を押下したときに表示される画面を示す図である。
【００５８】
クライアントＰＣ１０９を操作する作業者は、原稿サイズ選択ボックス６０１を不図示のポインティングデバイス等を用いて操作する。この操作により、プリンタドライバは、クライアントＰＣ１０９上で起動中のアプリケーションデータにおける各ページのサイズを選択する。なお、通常はアプリケーションデータが生成する文書には原稿サイズが指定されているので、この原稿サイズが自動的に選択される。また、プリンタドライバは、作業者が出力用紙サイズ選択ボックス６０２について「原稿サイズと同じ」を選択した場合には、ＭＦＰ１１０にて印刷処理（出力処理）に用いるシートのサイズとしてＡ４サイズを選択する。なお、作業者は出力用紙サイズとして、「原稿サイズと同じ」を選択する以外にも「Ａ３サイズ」、「Ｂ５サイズ」等の所望のシートサイズを選択することができる。ただし、この場合は、原稿サイズと異なるサイズが選択されるので、プリンタドライバは、倍率を変更しつつプリントジョブを生成する。また、プリンタドライバは、作業者が部数選択ボックス６０３について所望の印刷部数を入力したことに応じて入力された部数をプリントジョブに設定する。また、プリンタドライバは、作業者が印刷方向指定ボックス６０４にて選択した印刷方向を入力する。
【００５９】
そして、作業者がＯＫボタン６０５を選択したことにより原稿サイズ選択ボックス６０１、出力用紙サイズ選択ボックス６０２、部数選択ボックス６０３、印刷方向指定ボックス６０４に入力されている値を確定する。一方、作業者がキャンセルボタン６０６を選択したことにより原稿サイズ選択ボックス６０１、出力用紙サイズ選択ボックス６０２、部数選択ボックス６０３、印刷方向指定ボックス６０４に入力されている値を確定せずに予め定められている初期設定に戻す。
【００６０】
図７は、図６のプリンタドライバのプロパティ設定画面において仕上げタブ６０８が選択されたときに表示される画面を示す図である。
【００６１】
クライアントＰＣ１０９を操作する作業者は、印刷方法選択ボックス７０１を不図示のポインティングデバイス等を用いて操作する。この操作により、プリンタドライバは、アプリケーションデータから生成するプリントジョブをＭＦＰ１１０にて印刷処理させるときの印刷方法を選択する。なお、印刷方法としては、シートの片面のみに印刷処理をする「片面印刷」、シートの両面に印刷処理をする「両面印刷」、サドルステッチャ６２８を用いた「製本印刷」等がある。
【００６２】
そして、作業者がＯＫボタン７０２を選択したことにより印刷方法選択ボックス７０１に入力されている値を確定する。一方、作業者がキャンセルボタン６０６を選択したことにより印刷方法選択ボックス７０１に入力されている値を確定せずに予め定められている初期設定に戻す。
【００６３】
図８及び図９は、図６のプリンタドライバのプロパティ設定画面において給紙タブ６０８が選択されたときに表示される画面を示す図である。
【００６４】
クライアントＰＣ１０９を操作する作業者は、シートの指定方法選択ボタン８０１を不図示のポインティングデバイス等を用いて操作する。この操作により、プリンタドライバは、作業者が「給紙部で指定」ボタンを選択した場合は、給紙部選択ボックス８０２を操作して選択した給紙部をプリントジョブに設定する。
【００６５】
一方、プリンタドライバは、作業者が「シートタイプで指定」ボタンを選択した場合は、シートタイプ選択ボックス８０５を操作して選択したシートをプリントジョブに設定する。
【００６６】
そして、作業者がＯＫボタン８０３を選択したことにより給紙部選択ボックス８０２又はシートタイプ選択ボックス８０５に入力されている値を確定する。一方、作業者がキャンセルボタン８０４を選択したことにより給紙部選択ボックス８０２又はシートタイプ選択ボックス８０５に入力されている値を確定せずに予め定められている初期設定に戻す。
【００６７】
そして、図６、図７、図８、図９のプリンタドライバのプロパティ設定画面における設定が終了すると（ＯＫボタン６０５、ＯＫボタン７０２、ＯＫボタン８０３が押下されると）、図５のプリンタドライバの設定画面に戻る。そして、図５のプリンタドライバの設定画面におけるＯＫボタン５０６が押下されると、クライアントＰＣ１０９は、プロパティ設定画面において設定された設定内容と、アプリケーションデータとを合成して１つのプリントジョブを生成する。さらに、クライアントＰＣ１０９は、プリントジョブをＭＦＰ１１０へ送信する。
【００６８】
なお、プリントジョブのデータ構造の具体例を図１０に示す。
【００６９】
図１０は、クライアントＰＣ１０９がＭＦＰ１１０に送信するプリントジョブのデータ構造を示す図である。
【００７０】
図１０において１００１はプリントジョブＩＤであり、クライアントＰＣ１０９がネットワー１０４を介してＭＦＰ１１０又はＭＦＰ１１等にプリントジョブを送信する場合に、プリントジョブを特定できるようプリントジョブに付与される固有のＩＤである。また、１００２は出力方法指定情報であり、印刷方法選択ボックス７０１にて選択された印刷方法を特定する情報である。また、１００３は給紙部指定情報であり、給紙部選択ボックス８０２にて選択された給紙部を特定する情報である。また、１００４はシート属性情報であり、出力用紙サイズ選択ボックス６０２にて選択された出力用紙サイズを特定するシートサイズ情報と、シートタイプ選択ボックス８０５にて選択されたシートタイプ情報とを含む情報である。また、１００５は印刷部数指定情報であり、印刷部数設定ボックス５０４又は印刷部数選択ボックス６０３（各々同じ値が入力される）にて入力された印刷部数を特定する情報である。また、１００６は、プリントジョブ名であり、アプリケーションにて管理する際のファイル名を示すテキストデータがプリントジョブ名として付与されている。そして、１００７は、ドキュメントデータであり、クライアントＰＣ１０９上で動作するアプリケーションにて生成されたドキュメント（文書）のデータである。
【００７１】
図１１は、外部Ｉ／Ｆ２０２を介して外部装置からプリントジョブを受信した場合にＭＦＰ１１０が実行する受信処理を示すフローチャートである。
【００７２】
ステップＳ１１１にて、ＣＰＵ２０５は、外部Ｉ／Ｆ２０２を介して外部装置からプリントジョブが入力（受信）されたかどうかを判定し、入力されたと判定した場合はステップＳ１１２へ進む。
【００７３】
ステップＳ１１２にて、ＣＰＵ２０５は、ＨＤＤ２０９にプリント待ち行列が存在するかどうかを判定し、存在すると判定すればステップＳ１１３へ進み、存在しないと判定すればステップＳ１１７へ進む。
【００７４】
ここで、プリント待ち行列について図１２を用いて説明する。図１２は、ＨＤＤ２０９に記憶されるプリント待ち行列の一例を示す図である。図１２において“Ｎｏ．”は、プリント待ち行列にて待機しているプリントジョブの個数を示すものであり、図１２では６個のプリントジョブが蓄積されていることが示されている。また、“プリントジョブＩＤ”は、プリントジョブのプリントジョブ設定データに含まれるものであり、ＭＦＰ１１０が受信するプリントジョブの各々に固有のＩＤである。また、“プリントジョブ名”はプリントジョブ設定データに含まれるプリントジョブ名１００６に対応する。また、“ステータス”は、プリントジョブが印刷処理中なのか印刷処理待ちなのかを示す処理状況を示す。また、“出力方法”は、プリントジョブのプリントジョブ設定データに含まれるものであり、ＭＦＰ１１０が受信するプリントジョブを印刷処理するときの出力方法（例えば、片面印刷、両面印刷、製本印刷）を指定する情報である。また、“シートタイプ”は、プリントジョブのシート属性情報に含まれる、プリントジョブで用いるシートのタイプを特定するものである。例えば、クライアントＰＣ１０９がＭＦＰ１１０に送信するプリントジョブには、普通紙、上質紙、厚紙１０６ｇ／ｍ２、厚紙１５０ｇ／ｍ２、厚紙２１０ｇ／ｍ２、厚紙２５３ｇ／ｍ２、光沢紙、色紙の８種類のいずれかが指定される。また、“シートサイズ”は、プリントジョブのシート属性情報に含まれる、プリントジョブで用いるシートのサイズを特定するものである。例えば、クライアントＰＣ１０９がＭＦＰ１１０に送信するプリントジョブには、Ａ４、Ａ５、Ｂ５、Ｂ４、リーガル、レター等の各種のいずれかのサイズが指定される。また、“部数”は、プリントジョブのシート属性情報に含まれる、プリントジョブにて印刷処理する部数を特定するものであり、プリントジョブに含まれるドキュメントデータ１００６を１部として、それを何部印刷処理するかを示す。
【００７５】
ここで、図１１の説明に戻る。
【００７６】
ステップＳ１１３にて、ＣＰＵ２０５は、ステップＳ１１１にて入力されたプリントジョブのシート属性情報１００４とプリント待ち行列に蓄積されたプリントジョブのシート属性情報１００４（シートタイプ及びシートサイズ）を比較する。そして、ＣＰＵ２０５は、プリント待ち行列に蓄積された複数のプリントジョブのいずれか１つと一致すると判定した場合はステップＳ１１４へ進み、いずれにも一致しないと判定した場合はステップＳ１１５へ進む。ここで、図１２のプリント待ち行列がＨＤＤ２０９に蓄積されている場合に、シートタイプ“普通紙”、シートサイズ“Ａ４”のプリントジョブが新たに入力されたとする。この場合、図１２におけるプリントジョブＮｏ．２及びＮｏ．３に一致するので、ステップＳ１１３でＣＰＵ２０５はＹＥＳと判断する。
【００７７】
ステップＳ１１４にて、ＣＰＵ２０５は、ステップＳ１１３にてシート属性が一致すると判断されたプリントジョブについての給紙トレイに対して、ステップＳ１１１にて入力されたプリントジョブを割り当てる。例えば、ステップＳ１１３にて、新たに入力されたプリントジョブのシート属性がプリントジョブＮｏ．２のシート属性と一致すると判断したとする。この場合、ステップＳ１１１にて入力されたプリントジョブはシートカセットＢに割り当てられる。
【００７８】
一方ステップＳ１１４にて、ＣＰＵ２０５は、ＭＦＰ１１０が有する全ての給紙トレイ（シートカセットＡ、シートカセットＢ、手差しトレイ及びペーパデッキ）にプリントジョブが割り当てられているかを図１２のプリント待ち行列を元に判断する。例えば、図１２のプリント待ち行列がＨＤＤ２０９に蓄積されている場合に、シートタイプ“光沢紙”、シートサイズ“Ａ４”のプリントジョブが新たに入力されたとする。この場合、ＭＦＰ１１０が有する全ての給紙トレイにＮＯ．１〜６のプリントジョブが割り当てられているので、ＣＰＵ２０５はステップＳ１１５でＹＥＳと判断する。
【００７９】
そして、ステップＳ１１６で、ＣＰＵ２０５は、ＭＦＰの操作者によるトレイ選択指示を受け付ける。ここで、ステップＳ１１６にてＭＦＰ１１０の操作部２０４に表示される画面を、図１３を用いて説明する。
【００８０】
図１３で１３０１は、シートカセットＡに割り当てられているプリントジョブのうち、先に印刷処理されるべきプリントジョブ００１のシート属性を示している。また、１３０２は、シートカセットＡ６１７に割り当てられているプリントジョブを示している。また、１３０３は、シートカセットＢ６１８に割り当てられているプリントジョブのうち、先に印刷処理されるべきプリントジョブ００２のシート属性を示している。また、１３０４は、シートカセットＡ６１７に割り当てられているプリントジョブを示している。また、１３０５は、手差しトレイ６２０に割り当てられているプリントジョブプリントジョブ００５のシート属性を示している。また、１３０６は、手差しトレイ６２０に割り当てられているプリントジョブを示している。また、１３０７は、ペーパデッキ６１９に割り当てられているプリントジョブ００６のシート属性を示している。また、１３０８は、ペーパデッキ６１９に割り当てられているプリントジョブを示している。
【００８１】
１３０９は、“印刷状況”キーであり、図１２に示すプリント待ち行列を操作部２０４の画面上に表示させるためのキーである。また、１３１０は、“閉じる”キーであり、図１３の画面を閉じて操作部２０４の初期画面を表示させるためのキーである。
【００８２】
１３１１は、“シートセット待ち”キーであり、ステップＳ１１１で入力されたプリントジョブのシート属性と一致するシート属性の給紙トレイが無い場合であって、プリントジョブが割り当てられていない給紙トレイがある場合に選択可能となるキーである。ＭＦＰ１１０の操作者は、“シートセット待ち”キーを押した後にプリントジョブが割り当てられていない給紙トレイを選択することでプリントジョブを給紙トレイに割り当てることができる。また、１３１２は、“シート交換待ち”キーであり、ステップＳ１１１で入力されたプリントジョブのシート属性と一致する給紙トレイが無い場合であって、更にプリントジョブが割り当てられていない給紙トレイがない場合に選択可能となるキーである。ＭＦＰ１１０の操作者は、“シート交換待ち”キーを押した後にプリントジョブが割り当てられているいずれかの給紙トレイを選択することでプリントジョブを給紙トレイに割り当てることができる。なお、ＭＦＰ１１０の操作者は、全ての給紙トレイにステップＳ１１１にて入力されたプリントジョブを割り当てることが可能であるが、交換対象として好ましい給紙トレイが識別できるように操作部２０４に表示をしても良い。具体的には、全ての給紙トレイのうち最も早くプリントジョブの割り当てから開放されるトレイ（図１３では、プリントジョブ００３が割り当てられているシートカセットＢ６１８を識別できるように（表示色を変える等）しても良い。
【００８３】
ここで、図１１のステップＳ１１６の説明に戻る。
【００８４】
ステップＳ１１６で、ＣＰＵ２０５は、ステップＳ１１１にて入力されたプリントジョブを複数の給紙トレイのいずれかへ割り当てるために操作者（作業者）による“シート交換待ち”キー１３１２の入力を待つ。そして、“シート交換待ち”キー１３１２が押下された後に１３０２、１３０４、１３０６、１３０７のいずれかのキーが押されたことにより、押されたキーに対応する給紙トレイにプリントジョブを割り当てる（ステップＳ１１８）。例えば、１３０８を選択すると、ステップＳ１１１にて入力されたプリントジョブが、ペーパデッキ６１９に割り当てられることになる。
【００８５】
また、ステップＳ１１５にて、プリントジョブが割り当てられていない給紙トレイが存在すると判断された場合、ＣＰＵ２０５は、ステップＳ１１７にてＭＦＰ１１０の操作者によるトレイ選択指示を受け付ける。ここで、ステップＳ１１７にてＭＦＰ１１０の操作部２０４に表示される画面を、図１４を用いて説明する。
【００８６】
図１４が図１３と異なる点は、ペーパデッキ６１９にプリントジョブが割り当てられていない点である。そして、ステップＳ１１１にて入力されたプリントジョブがシート属性としてシートタイプが“普通紙”でありシートサイズが“Ｂ４”であるとする。この場合、“シートセット待ち”キー１３１１が選択可能となる。そして、“シートセット待ち”キー１３１１が押下され、更にペーパデッキ６１９が選択されたことにより、プリントジョブがペーパデッキ６１９に割り当てられる。ここで、ステップＳ１１７においては、プリントジョブが割り当てられていない給紙トレイのみが選択可能となるようにし、他のプリントジョブが割り当てられている給紙トレイが選択できないようにするのが望ましい。なお、ステップＳ１１７及びステップＳ１１８が実行されると操作部２０４の表示画面は図１３に示す画面となる。
【００８７】
以上のステップＳ１１１からステップＳ１１８により、ＭＦＰ１１０に新たに入力されたプリントジョブが、複数の給紙トレイのいずれかに割り当てられることになる。
【００８８】
続いて、図１２に示すようなプリント待ち行列に蓄積されたプリントジョブに基づいて実行する印刷処理について図１５を用いて説明する。
【００８９】
ステップＳ１５１で、ＣＰＵ２０５は、プリント待ち行列にプリントジョブが存在するか否かを判断し、存在すると判断した場合はステップＳ１２２へ進み、そうでなければフローを終了させる。
【００９０】
ステップＳ１５２で、ＣＰＵ２０５は、シート交換指示が出力されているかどうかを判断し、出力されていれば再びステップＳ１５２を実行し、そうでなければステップＳ１５３へ進む。なお、シート交換指示は、プリント待ち行列の先頭のプリントジョブが割り当てられている給紙トレイについて、現在給紙トレイに積載されているシートと、次のプリントジョブにて使用するシートの属性が異なる場合に出力される指示である。
【００９１】
ステップＳ１５３で、ＣＰＵ２０５は、プリント待ち行列の先頭のプリントジョブ（プリントジョブＮｏ．１）の印刷処理を開始させる。
【００９２】
ステップＳ１５４で、ＣＰＵ２０５は、ステップＳ１５２にて印刷処理を開始させたプリントジョブの印刷処理が終了したかどうかを判断し、終了したと判断した場合にステップＳ１５５へ進む。
【００９３】
ステップＳ１５５で、ＣＰＵ２０５は、プリント待ち行列に、先頭のプリントジョブの次に並んでいるジョブ（プリントジョブＮｏ．２）の印刷処理を開始させる。
【００９４】
ステップＳ１５６で、ＣＰＵ２０５は、給紙トレイのシート交換が必要か否かを判断し、必要であると判断すればステップＳ１５７へ進み、そうでなければステップＳ１５１へ戻る。ここで、トレイのシート交換が必要か否かは以下のように判断する。まず、ステップＳ１５４で処理が終了したプリントジョブ（プリントジョブＮｏ．１）にて用いられたシートカセットを確認する。図１２のプリント待ち行列の例では、シートカセットＡ１６７となる。続いて、プリントジョブＮｏ．１にて用いられてシートカセットと同じものを用いるプリントジョブがプリント待ち行列に蓄積されているかを確認する。図１２のプリント待ち行列の例では、プリントジョブＮｏ．４がシートカセットＡを用いるよう指定されているので、このことが確認される。次に、プリントジョブＮｏ．１のシート属性とプリントジョブＮｏ．４のシート属性が一致するか否かを判断する。図１２の例の場合、プリントジョブＮｏ．１のシート属性が、シートタイプが厚紙１０６ｇ／ｍ２であるのに対し、プリントジョブＮｏ．４のシート属性が、シートタイプが厚紙２１０ｇ／ｍ２であるのでシート属性が異なることが判断される。この場合、シートカセットＡ１６７を指定する複数のプリントジョブのシート属性が異なり、シートの交換が必要であることから、ステップＳ１５５でＣＰＵ２０５はＹＥＳと判断する。例えば、プリント待ち行列に図１２におけるＮｏ．４のプリントジョブが存在しない場合、ＣＰＵ２０５はステップＳ１５６でＮＯと判定してステップＳ１５１へ戻る。
【００９５】
ステップＳ１５７で、ＣＰＵ２０５は、シート交換指示を出力する。具体的には、プリントジョブＮｏ．１にて用いられていたシートとプリントジョブＮｏ．４にて用いるシートの属性が異なることから、厚紙１０６ｇ／ｍ２を厚紙２１０ｇ／ｍ２へ交換するよう交換指示を出力する（図１６）。交換指示は、操作部２０４を介して、ＭＦＰ１１０の操作者（作業者）が識別出来るように表示される。また、図１６において、１６０１は、“交換完了”キーであり、シート交換指示に応じてＭＦＰ１１０の操作者がシートの交換をした後にこのキーが押されることで、ＣＰＵはシート交換指示に応じたシート交換が完了したことを認識できる。そして、この“交換完了”キーが押されると、ＣＰＵはシート交換指示が出力されない状態となったことをステップＳ１５２にて認識できる。
【００９６】
ステップＳ１５８で、ＣＰＵ２０５は、印刷処理中のプリントジョブが終了したかどうかを判断し、終了していないと判断した場合は再びステップＳ１５８を実行し、そうでなければステップＳ１５１へ戻る。
【００９７】
なお、シート交換指示が出ている給紙トレイに割り当てられているプリントジョブの“ステータス”は“シート交換待ち”となる。そして、“ステータス”が“シート交換待ち”となっているプリントジョブは、プリント待ち行列の先頭となった場合であっても、“交換完了”キー１６０１が押されて“ステータス”が“印刷待ち”とならない限り、印刷処理が開始されない。この場合、引き続く２番目以降の“印刷待ち”のプリントジョブの印刷処理を開始しないようにしても良いし、印刷処理を開始させるようにしても良い。
【００９８】
第１の実施形態によれば、ＭＦＰ１１０が有する複数の給紙トレイのいずれにも積載されていない属性のシートを用いるプリントジョブが入力された場合であっても、適切な動作をＭＦＰ１１０に実行させることができる。そして、入力されたプリントジョブをＭＦＰ１１０の操作者が選択する適切な給紙トレイに割り当てるとともに、適切なタイミングでシートの交換を指示するプリンタを提供することができる。
【００９９】
＜第２の実施形態＞
次に本発明の第２の実施形態について説明する。
【０１００】
第２の実施形態は、第１の実施形態におけるステップＳ１１６における動作が異なる点を除いては、第１の実施形態と同様である。
【０１０１】
第１の実施形態においては、新たにプリントジョブが、プリント待ち行列に存在するプリントジョブのシート属性と一致するかどうかを判断する（Ｓ１１３）。そして、一致する給紙トレイがなければ、全ての給紙トレイにプリントジョブが割り当てられているかを判断する（Ｓ１１６）。
【０１０２】
そして、第１の実施形態は、ステップＳ１１６において図１３の画面を表示させ、ＭＦＰの操作者によるトレイ選択指示を受け付けるものであった。
【０１０３】
それに対し、第２の実施形態は、ステップＳ１１６においてＭＦＰの操作者によるトレイ選択指示を受け付けるのではなく、予めトレイ選択指示を設定しておき、その設定したトレイ選択指示に基づいて給紙トレイの選択を行うものである。
【０１０４】
図１７は、外部Ｉ／Ｆ２０２を介して外部装置からプリントジョブを受信した場合にＭＦＰ１１０が実行する受信処理を示すフローチャートである。なお、図１７のステップＳ１７１〜Ｓ１７８は、ステップＳ１７６を除いて、図１１のステップＳ１１１〜Ｓ１１８と同様であるので、説明を省略する。
【０１０５】
ここで、図１７のステップＳ１７６における動作について説明する。
【０１０６】
図１８は、予め給紙トレイの選択指示を受け付けるための操作部２０４の表示画面を示す図である。
【０１０７】
そして、図１８は、図１７のステップＳ１７６にてＣＰＵ２０５がＨＤＤ２０９から読み出すトレイ選択指示を、ＨＤＤ２０９に記憶させるための表示画面を示している。ＭＦＰ１１０の操作者は、図１８の１８０１〜１８０４のチェックボックスをチェックすることで、給紙トレイを選択する。なお、チェックボックスをチェックすることによりシートカセットＡ６１７、シートカセットＢ６１８、ペーパデッキ６１９、手差しトレイ６２０の４つの給紙トレイの中から、所望のトレイを選択することができる。例えば、ペーパデッキ６１９が大容量のシートを積載することが可能な給紙トレイであり、頻繁にシートの交換をさせないほうが良い場合は、１８０３にチェックを入力しなければよい。また、手差しトレイ６１９が頻繁にシートの交換をさせた方が良い場合は、１８０４にチェックを入力しておけば良い。
【０１０８】
図１８においては、１８０４が選択されているので、手差しトレイ６２０が選択されることになる。ＣＰＵ２０５は、手差しトレイ６２０が選択されると、手差しトレイが選択されたことを示すトレイ選択指示情報をＨＤＤ２０９に記憶させる。
【０１０９】
そして、図１７のステップＳ１７６においてＣＰＵ２０５は、ＨＤＤ２０９に記憶されたトレイ選択指示情報を読出し、いずれの給紙トレイが選択されているかを判断する。ステップＳ１７８により、ＣＰＵ２０５は、入力されたプリントジョブをトレイ選択指示により選択された手差しトレイ６２０に割り当てる。
【０１１０】
そして、第２の実施形態によれば、複数の給紙トレイに積載されている何れのシートの属性とも一致しないプリントジョブが入力されたときにＨＤＤ２０９に記憶されたトレイ選択指示を読み出す。それにより、プリントジョブが入力される以前に予めＭＦＰ１１０の操作者が指示した内容に応じた適切な給紙トレイを割り当てるＭＦＰ１１０を提供することができる。
【０１１１】
＜第３の実施形態＞
次に、本発明の第３の実施形態について説明する。
【０１１２】
第３の実施形態は、第１の実施形態の図１１におけるステップＳ１１３における動作が異なる点を除いては、第１の実施形態と同様である。
【０１１３】
第１の実施形態においては、プリントジョブを複数の給紙トレイのいずれかに割り当てる。そして、図１１のステップＳ１１３でＣＰＵ２０５は、ステップＳ１１１にて入力されたプリントジョブのシート属性と一致するプリントジョブがプリント待ち行列に存在するかどうかを判断する。そして、ＣＰＵ２０５は、一致するプリントジョブが存在すると判断した場合に、そのプリントジョブが割り当てられている給紙トレイを選択する。
【０１１４】
これに対して、第３の実施形態は、給紙トレイに対応するシート属性を予めＨＤＤ２０９に記憶させておく。そして、ＨＤＤ２０９に記憶されたシート属性に関する情報に基づいて入力されたプリントジョブとシート属性が一致する給紙トレイにプリントジョブを割り当てる。
【０１１５】
図１９は、外部Ｉ／Ｆ２０２を介して外部装置からプリントジョブを受信した場合にＭＦＰ１１０が実行する受信処理を示すフローチャートである。なお、図１９のステップＳ１９１〜Ｓ１９８は、ステップＳ１９３を除いて、図１１のステップＳ１１１〜Ｓ１１８と同様であるので、説明を省略する。
【０１１６】
ここで、図１９のステップＳ１９３における動作について説明する。
【０１１７】
図２０は、給紙トレイにシート属性を設定するための操作部２０４の表示画面を示す図である。
【０１１８】
そして、図２０は、図１９のステップＳ１９３にてＣＰＵ２０５がＨＤＤ２０９から読み出すシート属性情報を、ＨＤＤ２０９に記憶させるための表示画面を示している。ＭＦＰ１１０の操作者は、図２０の“シートタイプ設定”キー２００１〜２００４を押すことにより、図２１の表示画面を表示させる。
【０１１９】
図２１は、シートタイプを設定するための表示画面であり、図２１において２１０１〜２１０８のいずれかを押下することにより、シートタイプを設定する。なお、“シートタイプ設定”キー２００１が押されて図２１の表示画面が表示された場合はシートカセットＡ６１７についてのシートタイプが設定される。また、“シートタイプ設定”キー２００２が押されて図２１の表示画面が表示された場合はシートカセットＢ６１８についてのシートタイプが設定される。また、“シートタイプ設定”キー２００３が押されて図２１の表示画面が表示された場合はペーパデッキ６１９についてのシートタイプが設定される。また、“シートタイプ設定”キー２００４が押されて図２１の表示画面が表示された場合は手差しトレイ６２０についてのシートタイプが設定される。
【０１２０】
また、図２２は、シートサイズを設定するための表示画面であり、図２２において２２０１〜２２０６のいずれかを押下することにより、シートサイズを設定する。なお、“シートサイズ設定”キー２００５が押されて図２２の表示画面が表示された場合はシートカセットＡ６１７についてのシートサイズが設定される。また、“シートタイプ設定”キー２００６が押されて図２２の表示画面が表示された場合はシートカセットＢ６１８についてのシートサイズが設定される。また、“シートタイプ設定”キー２００７が押されて図２２の表示画面が表示された場合はペーパデッキ６１９についてのシートサイズが設定される。また、“シートタイプ設定”キー２００８が押されて図２２の表示画面が表示された場合は手差しトレイ６２０についてのシートサイズが設定される。
【０１２１】
以上のように図２０の２００１〜２００８に設定されたシート属性は、各々の給紙トレイに対応付けてＨＤＤ２０９に記憶される。
【０１２２】
ここで、図１９のステップＳ１９３における動作の説明に戻る。ステップＳ１９３においてＣＰＵ２０５は、ＨＤＤ２０９に記憶されたシート属性を読出し、ステップＳ１８１にて入力されたプリントジョブに含まれるシート属性と一致する給紙トレイが存在するか否かを判定する。ＣＰＵ２０５は、プリントジョブに含まれるシート属性と一致する給紙トレイが存在すると判断した場合は、ステップＳ１８４にて入力されたプリントジョブを、シート属性が一致した給紙トレイに割り当てる。一方、ＣＰＵ２０５は、プリントジョブに含まれるシート属性と一致する給紙トレイが存在しないと判断した場合は、ステップＳ１８５へ進む。
【０１２３】
そして、第３の実施形態によれば、給紙トレイに対応するシート属性を予めＨＤＤ２０９に記憶させた上で、入力されたプリントジョブが特定するシート属性に応じた適切な動作を実行させることができる。
【０１２４】
＜第４の実施形態＞
次に、本発明の第４の実施形態について説明する。
【０１２５】
第４の実施形態は、第１の実施形態の図１５におけるステップＳ１５７における動作が異なる点を除いては、第１の実施形態と同様である。
【０１２６】
第１の実施形態は、ステップＳ１５７におけるシート交換指示の出力を操作部２０４に表示させるものであった。これに対して、第４の実施形態は、シート交換指示の出力を任意の通知先へ通知するものである。
【０１２７】
任意の通知先としては、ＭＦＰ１１０を操作する操作者が利用するクライアントＰＣ１０９を指定しておくことが考えられる。この場合、ＭＦＰ１１０のＨＤＤ２０９にクライアントＰＣ１０９のＩＰアドレスやクライアントＰＣにて利用される電子メールアドレスを登録しておき、ステップＳ１５７においてＩＰアドレスや電子メールアドレスに対してシート交換指示を送信する。シート交換指示を示すデータを受信したクライアントＰＣ１０９は、クライアントＰＣ１０９が備えるディスプレイを介して、操作者へシート交換指示を示す情報を通知する。こうすることで、シート交換の必要が発生した場合に、シート交換を行うべき操作者に対して確実にシート交換指示を通知することができる。
【０１２８】
また、任意の通知先としては、交換対象となっているプリントジョブをＭＦＰ１１０に送信した送信元の端末を指定しても良い。この場合、ＭＦＰ１１０のＨＤＤ２０９に、プリントジョブをＭＦＰ１１０に送信した送信元の端末（例えば、クライアントＰＣ１０９、ユーザ端末１０１）のＩＰアドレスを登録しておく。そして、ステップＳ１５７において登録されたＩＰアドレスに対してシート交換指示を送信する。シート交換指示を示すデータを受信した端末（例えば、クライアントＰＣ１０９）は、端末が備えるディスプレイを介して、端末の利用者へシート交換指示を示す情報を通知する。こうすることで、シート交換の必要が発生した場合に、シート交換を行うべきプリントジョブの送信元の利用者に対して確実にシート交換指示を通知することができる。
【０１２９】
＜第５の実施形態＞
次に、本発明の第５の実施形態について説明する。
【０１３０】
第５の実施形態は、印刷システムの構成は、第１の実施形態と同様であるので説明を省略する。
【０１３１】
第１の実施形態は、１つのプリントジョブにおいては、１つのシート属性を指定するものであった。それに対して第５の実施形態は、１つのプリントジョブが、ページによって異なる複数のシート属性を持つ点が異なる。
【０１３２】
図２３は、図６のプリンタドライバのプロパティ設定画面において給紙タブ６０８が選択されたときに表示される画面である。第１の実施形態の図９と異なる点は、「シート種類の混在．．．」ボタン２３０１が加わっている点である。このボタン２３０１は、１つのプリントジョブの中で異なるシート属性をページ毎に持たせる場合に使用する。
【０１３３】
図２４は、図２３のプロパティ設定画面の「シート種類の混在．．．」ボタンを選択したときに表示される画面である。シート種類の設定セクション２４０１にて、あるページ範囲のシート種類を設定する。このシートの種類の設定セクション２４０１には、ページ範囲２４０２、出力用紙サイズ２４０３、用紙タイプ２４０４、印刷方向２４０５の設定項目が存在する。ページの範囲２４０２は、「３」、「１‐３」、「１、３−５」などのように、１ページまたはハイフンやカンマを使って複数ページを指定する。出力用紙サイズ２４０３、用紙タイプ２４０４、印刷方向２４０５は、それぞれ第１の実施形態の出力用紙サイズ６０２、用紙タイプ８０５、印刷方法７０１と同様である。設定一覧セクション２４０９には、各ページ範囲に設定された設定内容が表示される。ページ範囲「Ｂｏｄｙ」と表示されている１行目には、プリントジョブの全ページにかかる設定が表示される。画面に表示しきれない場合には、縦のスクロールバーが現れる。追加ボタン２４０６を押すと、シート種類の設定セクション２４０１の設定が設定一覧セクション２４０９に反映される。設定一覧セクション２４０９のいずれかの行を選択すると反転表示され、その状態で編集ボタン２４０７を選択すると選択した行の設定内容がシート種類の設定セクション２４０１にコピーされ、変更できるようになる。設定一覧セクション２４０９のいずれかの行を選択し反転表示された状態で削除ボタン２４０８を押すと、確認ダイアログで確認のうえその行が削除される。
【０１３４】
図２５に、１つのプリントジョブの中でページ毎に異なるシート属性を持つジョブの一例を示す。このプリントジョブは、図２４の設定一覧セクション２４０９に表示されているプリントジョブに対応する。ｐ．１〜ｐ．１０はページ順を表しており、図２５のプリントジョブは１０ページからなるプリントジョブである。
【０１３５】
図２６は、外部Ｉ／Ｆ２０２を介して外部装置からプリントジョブを受信した場合にＭＦＰ１１０が実行するシート交換指示の表示処理を示すフローチャートである。ステップＳ２６０１で、印刷するページのシート属性と一致する給紙トレイがあるかをチェックする。一致する給紙トレイがあればその給紙トレイから給紙をして印刷処理を実行する。一致する給紙トレイがなければ、ステップＳ２６０２にて、後続のページのシート属性を収集し、各ページのシート属性と一致する給紙トレイがあるかをチェックする。そのうえで、ステップＳ２６０３にてシート交換指示の表示処理をする。ステップＳ２６０４にて、シート交換を要求したシートが補給されたかどうか判断し、補給されたらステップＳ２６０５にてシート交換指示の表示処理を停止する。
【０１３６】
図２７に、ステップＳ２６０４にて表示するシート交換指示の表示の例を示す。この例では、メッセージ２７０１にて、Ａ３厚紙１５０ｇ／ｍ２のシート交換指示を表示している。その要求メッセージ２７０１の下部に、現在の給紙トレイの使用状況を表示している。シートカセットＡに入っているシートのサイズと種類を２７０２に示し、シートカセットＢに入っているシートのサイズと種類を２７０４に示し、ペーパデッキに入っているシートのサイズと種類を２７０６に表示している。そして、ステップＳ２６０２にて収集した、後続のページのシート属性から、各給紙トレイについて、プリントジョブで使用する予定のページがあるかないかを２７０３，２７０５，２７０７に表示する。さらに、後続のページのシート属性から、後で補給しなければならないシートの交換指示も２７０８に表示し、操作者があらかじめシートを用意できるようにしておく。図２７の例では、Ｐ．２〜Ｐ．８については、ペーパデッキを使用し、Ｐ．６についてはシートカセットＡを使用することを表示している。なお、Ｐ．１の印刷処理にて用いるＡ３厚紙１５０ｇ／ｍ２については、いずれの給紙トレイにも積載されていないので、２７０１にメッセージを表示している。また、Ｐ．９、Ｐ．１０で使用するＡ３普通紙もいずれの給紙トレイにも積載されていないので、２７０８にメッセージを表示している。
【０１３７】
なお、第５の実施形態においては、１つのプリントジョブの各ページのシート属性情報を収集するものとしたが、更に後続するプリントジョブのシート属性情報を収集するようにしても良い。
【０１３８】
＜第６の実施形態＞
次に、本発明の第６の実施形態について説明する。
【０１３９】
第６の実施形態は、第５の実施形態の図２７におけるシート交換指示の表示処理が異なる点を除いては、第５の実施形態と同様である。
【０１４０】
図２８に、ステップＳ２６０３にて表示するシート交換指示の例を示す。この例では、メッセージ２８０１にて、Ａ３厚紙１５０ｇ／ｍ２のシート交換（補給）を要求している。その要求メッセージ２８０１の下部に、現在の給紙トレイの使用状況を示している。シートカセットＡに入っている用紙のサイズと種類を２８０２に示し、シートカセットＢに入っている用紙のサイズと種類を２８０４に示し、ペーパデッキに入っている用紙のサイズと種類を２８０６に示している。そして、ステップＳ２６０２にて収集した、後続のページのシート属性情報から、各給紙トレイに積載されているシートを後続のページにて使用する予定があるかないかを２８０３、２８０５、２８０７に表示する。さらに、後続のページのシート属性から、後で補給しなければならない用紙も２８０８に表示し、操作者があらかじめシートを交換（補給）できるよう準備しておくことができる。
【０１４１】
この第６の実施形態で特徴的であるのは、図２８の２８０５、２８０７に示しているように、使用予定のある給紙トレイにおいて、同一のシート属性の給紙トレイが複数ある場合、そのことを識別可能に表示することである。図２８の例では、表示のテクスチャを同一のものとすることで識別可能としている。
【０１４２】
＜その他の実施形態＞
以上、実施形態例を詳述したが、本発明は、例えば、システム、装置、方法、プログラム若しくは記憶媒体（記録媒体）等としての実施態様をとることが可能である。具体的には、複数の機器から構成されるシステムに適用しても良いし、また、一つの機器からなる装置に適用しても良い。
【０１４３】
尚、本発明は、前述した実施形態の機能を実現するソフトウェアのプログラムを、システムあるいは装置に直接あるいは遠隔から供給し、そのシステムあるいは装置のコンピュータが該供給されたプログラムコードを読み出して実行することによっても達成される。ここで、プログラムとは、実施形態では図に示すフローチャートに対応したプログラムを示す。
【０１４４】
従って、本発明の機能処理をコンピュータで実現するために、該コンピュータにインストールされるプログラムコード自体も本発明を実現するものである。つまり、本発明は、本発明の機能処理を実現するためのコンピュータプログラム自体も含まれる。
【０１４５】
その場合、プログラムの機能を有していれば、オブジェクトコード、インタプリタにより実行されるプログラム、ＯＳに供給するスクリプトデータ等の形態であっても良い。
【０１４６】
プログラムを供給するための記録媒体としては、例えば、フロッピー（登録商標）ディスク、ハードディスク、光ディスク、光磁気ディスク、ＭＯ、ＣＤ−ＲＯＭ、ＣＤ−Ｒ、ＣＤ−ＲＷがある。また、磁気テープ、不揮発性のメモリカード、ＲＯＭ、ＤＶＤ（ＤＶＤ−ＲＯＭ，ＤＶＤ−Ｒ）などがある。
【０１４７】
その他、プログラムは、クライアントコンピュータのブラウザを用いてインターネットのホームページに接続し、該ホームページから本発明のコンピュータプログラムそのものをダウンロードすることによっても供給できる。また、圧縮され自動インストール機能を含むファイルをハードディスク等の記録媒体にダウンロードすることによっても供給できる。また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明に含まれるものである。
【０１４８】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせる方法もある。この方法では、鍵情報を使用することにより暗号化されたプログラムを実行してコンピュータにインストールさせて実現することも可能である。
【０１４９】
また、コンピュータが、読み出したプログラムを実行することによって、前述した実施形態の機能が実現される。また、そのプログラムの指示に基づき、コンピュータ上で稼動しているＯＳなどが、実際の処理の一部または全部を行い、その処理によっても前述した実施形態の機能が実現され得る。
【０１５０】
さらに、記録媒体から読み出されたプログラムが、コンピュータに挿入された機能拡張ボードやコンピュータに接続された機能拡張ユニットに備わるメモリに書き込ませる方法が考えられる。この場合、書き込まれたプログラムの指示に基づき、その機能拡張ボードや機能拡張ユニットに備わるＣＰＵなどが実際の処理の一部または全部を行い、その処理によっても前述した実施形態の機能が実現される。
【図面の簡単な説明】
【０１５１】
【図１】印刷処理システムを示す図である。
【図２】シートのライブラリ情報を示す図である。
【図３】ＭＦＰの構成を示すブロック図である。
【図４】ＭＦＰの構成を示す断面図である。
【図５】クライアントＰＣ１０９上で動作するプリンタドライバの設定画面を示す図である。
【図６】プリンタドライバの設定画面においてプロパティボタン５０５を押下したときに表示される画面を示す図である。
【図７】図６のプリンタドライバの設定画面において仕上げタブ６０８が選択されたときに表示される画面を示す図である。
【図８】図６のプリンタドライバの設定画面において給紙タブ６０８が選択されたときに表示される画面を示す図である。
【図９】図６のプリンタドライバのプロパティ設定画面において給紙タブ６０８が選択されたときに表示される画面を示す図である。
【図１０】クライアントＰＣ１０９がＭＦＰ１１０に送信するプリントジョブのデータ構造を示す図である。
【図１１】外部Ｉ／Ｆ２０２を介して外部装置からプリントジョブを受信した場合にＭＦＰ１１０が実行する受信処理を示すフローチャートである。
【図１２】ＨＤＤ２０９に記憶されるプリント待ち行列の一例を示す図である。
【図１３】ステップＳ１１６にてＭＦＰ１１０の操作部２０４に表示される画面を示す図である。
【図１４】ステップＳ１１７にてＭＦＰ１１０の操作部２０４に表示される画面を示す図である。
【図１５】プリント待ち行列に蓄積されたプリントジョブに基づいて実行する印刷処理を示すフローチャートである。
【図１６】操作部２０４を介してＭＦＰ１１０の操作者に出力される画面を示す図である。
【図１７】外部Ｉ／Ｆ２０２を介して外部装置からプリントジョブを受信した場合にＭＦＰ１１０が実行する受信処理を示すフローチャートである。
【図１８】予め給紙トレイの選択指示を受け付けるための操作部２０４の表示画面を示す図である。
【図１９】外部Ｉ／Ｆ２０２を介して外部装置からプリントジョブを受信した場合にＭＦＰ１１０が実行する受信処理を示すフローチャートである。
【図２０】シート属性情報をＨＤＤ２０９に記憶させるための表示画面を示す図である。
【図２１】シートタイプを設定するための表示画面を示す図である。
【図２２】シートサイズを設定するための表示画面を示す図である。
【図２３】図６のプリンタドライバの設定画面において給紙タブ６０８が選択されたときに表示される画面を示す図である。
【図２４】図２３のプリンタドライバの給紙設定画面において「シート種類の混在．．．」ボタン２３０１が選択されたときに表示される画面を示す図である。
【図２５】ページ毎に用紙種類の異なるジョブの例を示す図である。
【図２６】シート交換指示の表示処理を示すフローチャートである。
【図２７】図２６のステップＳ２６０４にてＭＦＰ１１０の操作部２０４に表示される画面を示す図である。
【図２８】図２６のステップＳ２６０４にてＭＦＰ１１０の操作部２０４に表示される画面を示す図である。
【符号の説明】
【０１５２】
６１７  シートカセットＡ
６１８  シートカセットＢ
６１９  ペーパデッキ
６２０  手差しトレイ
【図１】
0004574537.tif 000002
【図２】
0004574537.tif 000003
【図３】
0004574537.tif 000004
【図４】
0004574537.tif 000005
【図５】
0004574537.tif 000006
【図６】
0004574537.tif 000007
【図７】
0004574537.tif 000008
【図８】
0004574537.tif 000009
【図９】
0004574537.tif 000010
【図１０】
0004574537.tif 000011
【図１１】
0004574537.tif 000012
【図１２】
0004574537.tif 000013
【図１３】
0004574537.tif 000014
【図１４】
0004574537.tif 000015
【図１５】
0004574537.tif 000016
【図１６】
0004574537.tif 000017
【図１７】
0004574537.tif 000018
【図１８】
0004574537.tif 000019
【図１９】
0004574537.tif 000020
【図２０】
0004574537.tif 000021
【図２１】
0004574537.tif 000022
【図２２】
0004574537.tif 000023
【図２３】
0004574537.tif 000024
【図２４】
0004574537.tif 000025
【図２５】
0004574537.tif 000026
【図２６】
0004574537.tif 000027
【図２７】
0004574537.tif 000028
【図２８】
0004574537.tif 000029